【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
資産管理サービスを提供する方法であって、
通話パラメータ情報を生成するステップと、
通話パラメータ情報に応じて、通話費用情報を生成するステップと、
通話費用情報に応じて、アカウントについてのチャージ情報を生成するステップとを含み、
生成ステップの１つまたは複数が、クライアントネットワークで実行され、
生成ステップの１つまたは複数が、サービスプロバイダネットワークで実行される、資産管理サービスを提供する方法。
【請求項２】
クライアントネットワークで実行される生成ステップの１つまたは複数において、クライアントネットワークで生成される情報が、サービスプロバイダネットワークに送信される請求項１に記載の方法。
【請求項３】
サービスプロバイダネットワークで実行される生成ステップの１つまたは複数において、サービスプロバイダネットワークで生成される情報が、クライアントネットワークに送信される請求項１に記載の方法。
【請求項４】
資産管理サービスを提供するインターネットワークであって、
クライアントネットワークと、
サービスプロバイダネットワークとを備え、
クライアントネットワークが、サービスプロバイダネットワークに、完了呼の通話パラメータを送信することを特徴とし、さらに、サービスプロバイダネットワークが、該通話パラメータに基づいて完了呼の通話費用情報を決定し、費用をアカウントにチャージするために、該通話費用情報をクライアントネットワークに送信し返すことを特徴とする、資産管理サービスを提供するインターネットワーク。
【請求項５】
通話パラメータが、シリアルリンク上のクライアントネットワークの少なくとも一部分を介して送信されることを特徴とする請求項４に記載のインターネットワーク。
【請求項６】
通話パラメータが、シリアルリンク上のサービスプロバイダネットワークの少なくとも一部分を介して送信されることを特徴とする請求項４に記載のインターネットワーク。
【請求項７】
通話パラメータが、ワイドエリアネットワークを介して、クライアントネットワークとサービスプロバイダネットワークの間を送信されることを特徴とする請求項４に記載のインターネットワーク。
【請求項８】
ワイドエリアネットワークが公衆インターネットである請求項７に記載のインターネットワーク。
【請求項９】
通話費用情報が、シリアルリンク上のクライアントネットワークの少なくとも一部分を介して送信されることを特徴とする請求項４に記載のインターネットワーク。
【請求項１０】
通話費用情報が、シリアルリンク上のサービスプロバイダネットワークの少なくとも一部分を介して送信されることを特徴とする請求項４に記載のインターネットワーク。
【請求項１１】
通話費用情報が、ワイドエリアネットワークを介して、クライアントネットワークとサービスプロバイダネットワークの間を送信されることを特徴とする請求項４に記載のインターネットワーク。
【請求項１２】
ワイドエリアネットワークが公衆インターネットである請求項１１に記載のインターネットワーク。
【請求項１３】
ワイドエリアネットワークを介してサービスプロバイダネットワークに結合された、複数のクライアントネットワークを備える、資産管理サービスを提供するインターネットワークであって、各クライアントネットワークは、サービスプロバイダネットワークとのデータ交換のために、それぞれが第１のプロトコルコンバータに結合された構内交換機をそれぞれ含むことを特徴とし、さらに、サービスプロバイダネットワークは、通話課金システム、および各クライアントネットワークとのデータ交換のための第２のプロトコルコンバータを含むことを特徴とする、資産管理サービスを提供するインターネットワーク。
【請求項１４】
構内交換機が、サービスプロバイダネットワークに送信するために、完了呼の通話パラメータを生成する請求項１３に記載のインターネットワーク。
【請求項１５】
通話課金システムが通話パラメータを受け取り、該通話パラメータに基づいて、各クライアントネットワークに送信するための通話費用情報を生成する請求項１３に記載のインターネットワーク。
【請求項１６】
資産管理サービスを提供するインターネットワークであって、
クライアントネットワークであって、
完了呼の通話パラメータデータを生成する通話管理装置と、
通話費用情報を受け取り、費用をアカウントにチャージするクライアントシステムとを備えるクライアントネットワーク、
およびサービスプロバイダネットワークであって、
通話パラメータデータを受け取り、該通話パラメータデータに基づいて、完了呼の通話費用情報を生成する通話課金システムと、
通話費用情報を記憶し、通話費用情報をクライアントシステムに送信する、通話課金システムに結合されたサーバシステムと、
クライアントネットワークをサービスプロバイダネットワークに電子的にリンクし、クライアントネットワークとサービスプロバイダネットワークの間の通信を可能にするワイドエリアネットワークとを備えるサービスプロバイダネットワークを備える、資産管理サービスを提供するインターネットワーク。
【請求項１７】
通話管理装置が構内交換装置である請求項１６に記載のインターネットワーク。
【請求項１８】
ワイドエリアネットワークが公衆インターネットである請求項１６に記載のインターネットワーク。
【請求項１９】
サーバシステムが、資産管理コマンドをクライアントネットワークに送信する請求項１６に記載のインターネットワーク。
【請求項２０】
第１送信形式と第２送信形式の間の変換を行う、通話管理装置に結合されたプロトコルコンバータをさらに備える請求項１６に記載のインターネットワーク。
【請求項２１】
第１送信形式と第２送信形式の間の変換を行う、通話課金システムに結合されたプロトコルコンバータをさらに備える請求項１６に記載のインターネットワーク。
【請求項２２】
ワイドエリアネットワークを介して、サービスプロバイダネットワークに結合されたクライアントネットワークを含むシステムにおいて、資産管理サービスを提供する方法であって、
クライアントネットワークで、完了呼の通話パラメータを生成するステップと、
該通話パラメータをサービスプロバイダネットワークに送信するステップと、
サービスプロバイダネットワークで、該通話パラメータに基づいて、完了呼の通話費用情報を決定するステップと、
費用をアカウントにチャージするために、通話費用情報をクライアントネットワークに送信し返すステップとを含む、資産管理サービスを提供する方法。
【請求項２３】
通話パラメータ送信ステップが、シリアルリンク上のクライアントネットワークの少なくとも一部分を介して、通話パラメータを送信するステップを含む請求項２２に記載の方法。
【請求項２４】
通話パラメータ送信ステップが、シリアルリンク上のサービスプロバイダネットワークの少なくとも一部分を介して、通話パラメータを送信するステップを含む請求項２２に記載の方法。
【請求項２５】
通話費用情報送信ステップが、シリアルリンク上のクライアントネットワークの少なくとも一部分を介して、通話費用情報を送信するステップを含む請求項２２に記載の方法。
【請求項２６】
通話費用情報送信ステップが、シリアルリンク上のサービスプロバイダネットワークの少なくとも一部分を介して、通話費用情報を送信するステップを含む請求項２２に記載の方法。
【請求項２７】
資産管理コマンドをクライアントネットワークに送信するステップをさらに含む請求項２２に記載の方法。
【請求項２８】
資産管理コマンドが、アカウントを活動化するコマンドを含む請求項２７に記載の方法。
【請求項２９】
資産管理コマンドが、アカウントを非活動化するコマンドを含む請求項２７に記載の方法。